(57)【特許請求の範囲】
【請求項１】
第１の時間に第１の周波数をもつ第１の光を出力し、第２の時間に第２の周波数をもつ第２の光を出力する半導体レーザと、
前記半導体レーザから出力された第１及び第２の光を信号光と局発光に分岐する光分岐器と、
前記信号光をパルス光に変調する光変調器と、
前記光変調器で変調されたパルス光を空間に放射し、前記パルス光のターゲットからの散乱光を受信光として受信する光アンテナと、
前記受信光を、前記局発光を用いてヘテロダイン検波する光ヘテロダイン受信機と、
前記光ヘテロダイン受信機でヘテロダイン検波された受信信号を用いて、自装置内で前記パルス光が散乱されることにより生じる内部散乱光が自測定部で検出される時間を測定開始時間として、前記ターゲットからの散乱光の伝播時間を測定することにより、前記ターゲットとの距離を測定する測定部と、を備え、
前記光ヘテロダイン受信機は、前記第２の光の前記局発光を用いて、
前記第１の光の前記内部散乱光及び前記第１の光の前記受信光をヘテロダイン検波し、
前記内部散乱光のもつ光路長は、前記局発光のもつ光路長より長い
ことを特徴とするレーザレーダ装置。
【請求項２】
前記測定部は、前記局発光が前記測定部で前記第１の周波数をもつ時間と、自装置内で前記パルス光が散乱されることにより生じる内部散乱光が前記測定部で前記第１の周波数をもつ時間、との間で前記受信信号に含まれる特定の信号を検出する動作を開始するトリガ信号を受信し、該動作を開始することを特徴とする請求項１に記載のレーザレーダ装置。
【請求項３】
前記トリガ信号の遅延時間を調整する遅延調整回路を備えたことを特徴とする請求項２に記載のレーザレーダ装置。
【請求項４】
前記パルス光の光路長を調整する光路長調整部を備えたことを特徴とする請求項１乃至３のいずれか１項に記載のレーザレーダ装置。
【請求項５】
前記半導体レーザは変調された電流が注入されることにより、前記第１及び前記第２の周波数をもつ光を出力することを特徴とする請求項１乃至４のいずれか１項に記載のレーザレーダ装置。
【請求項６】
前記半導体レーザは単一波長の連続発振を行うことを特徴とする請求項１乃至５のいずれか１項に記載のレーザレーダ装置。
【請求項７】
前記半導体レーザはDFB-LD (distributed feedback laser diode)により構成されることを特徴とする請求項１乃至６のいずれか１項に記載のレーザレーダ装置。
【発明の詳細な説明】
【技術分野】
【０００１】
この発明はターゲットとの距離またはターゲットの移動特性を計測するレーザレーダ装置に関するものである。
【背景技術】
【０００２】
ターゲットに対してレーザ光を送受信して、ターゲットとの距離を計測するレーザレーダ装置において、強度変調された信号を受信する直接検波方式や、高感度受信が可能なヘテロダイン検波を行う方式が用いられている。【０００３】
直接検波を用いる従来方式では、熱雑音が支配的となり受信感度が劣化する課題があった。一方、高感度受信の為、パルス光に対するヘテロダイン検波を行う構成（例えば、特許文献１）においては送信光、または局発光に周波数シフトを付加する為の変調器が必要であり、小型、集積化が困難であった。また、強度変調された信号光を用いてヘテロダイン検波を行うレーザレーダ装置についての報告もあるが（例えば、特許文献２)、当技術は強度変調信号の周波数がドップラ周波数と同等であり、パルス光に対して実施することは困難であった。【０００４】
また、パルス方式のレーザレーダ装置では、パルス信号のパルス幅が計測距離の分解能を決定する。このパルス信号をヘテロダイン検波する場合には、そのパルス信号に対応できるように信号光と局発光との周波数差を設ける必要がある。
【先行技術文献】
【特許文献】
【０００５】
【特許文献１】特開２０００−３３８２４６号公報
【特許文献２】特開２０１５−１２９６４６号公報
【発明の概要】
【発明が解決しようとする課題】
【０００６】
従来のパルス方式のレーザレーダ装置では、信号光と局発光との周波数差は光周波数シフタの変調周波数によって制限され、大きな周波数シフトを実現することが困難であった。その結果、信号光と局発光に大きな周波数シフトを与えてヘテロダイン検波を行うことが難しく、短いパルス幅を持つパルス信号に対応することが困難であった。具体的には、ｎｓオーダの短いパルス幅を持つパルス信号に対応するためにはＧＨｚ以上の周波数シフトを実現することが必要となるが、従来技術ではＧＨｚ以上の周波数シフトを実現することは困難であった。【０００７】
本発明は上記のような課題を解決するためになされたもので、信号光と局発光の間に大きな周波数シフトを与え、短いパルス幅を持つパルス信号のターゲットからの散乱光をヘテロダイン検波することにより、ターゲットの距離またはターゲットの移動特性を高い分解能で測定できるレーザレーダ装置を得ることを目的とする。
【課題を解決するための手段】
【０００８】
この発明に係るレーザレーダ装置は、第１の時間に第１の周波数をもつ第１の光を出力し、第２の時間に第２の周波数をもつ第２の光を出力する半導体レーザと、前記半導体レーザから出力された第１と第２の光を信号光と局発光に分岐する光分岐器と、前記信号光をパルス光に変調する光変調器と、前記光変調器で変調されたパルス光を空間に放射し、前記パルス光のターゲットからの散乱光を受信光として受信する光アンテナと、前記受信光を、前記局発光を用いてヘテロダイン検波する光ヘテロダイン受信機と、前記光ヘテロダイン受信機でヘテロダイン検波された受信信号を用いて、自装置内で前記パルス光が散乱されることにより生じる内部散乱光が自測定部で検出される時間を測定開始時間として、前記ターゲットからの散乱光の伝播時間を測定することにより、前記ターゲットとの距離を測定する測定部と、を備え、前記光ヘテロダイン受信機は、前記第２の光の前記局発光を用いて、前記第１の光の前記内部散乱光及び前記第１の光の前記受信光をヘテロダイン検波し、前記内部散乱光のもつ光路長は、前記局発光のもつ光路長より長いことを特徴とする。
【発明の効果】
【０００９】
この発明によれば、第２の周波数をもつ局発光を用いて、第１の周波数をもつ短いパルス幅のパルス光の内部散乱光及びターゲットからの散乱光をヘテロダイン検波することにより、光アンテナからターゲットまでの距離を高い分解能で測定できる。
【図面の簡単な説明】
【００１０】
【図１】この発明の実施の形態１に係るレーザレーダ装置１００の構成図。
【図２】この発明の実施の形態１に係るレーザレーダ装置１００の全体動作。
【図３】この発明の実施の形態１に係る基準光源１での信号イメージ図。
【図４】この発明の実施の形態１に係る各種信号のイメージ図。
【図５】この発明の実施の形態２に係るレーザレーダ装置１００の構成図。
【図６】この発明の実施の形態２に係る各種信号のイメージ図。
【発明を実施するための形態】
【００１１】
実施の形態１．
以下、この発明の実施の形態について説明する。
【００１２】
本実施の形態では、ターゲット２０との距離を計測するレーザレーダ装置１００について説明する。
【００１３】
図１にこの発明の実施の形態１に係るレーザレーダ装置１００の構成図を示す。レーザレーダ装置１００は、単一波長(単一周波数)の連続発振かつ定偏光である光を発生させる基準光源１と、基準光源１で発生した光の進む光路を信号光路と局発光路５０とに分離する光分岐器である偏波保持光カプラ２、偏波保持光カプラ２で信号光路に分岐された光をパルス光に変換する半導体光増幅器３（SOA: Semiconductor Optical Amplifiers）、パルス光を増幅する光増幅器４、増幅されたパルス光を入力して信号光路へ出力するとともに信号光路の出力側から受信した光を受信光路５１へ出力する信号光路を分離する光サーキュレータ５、光サーキュレータ５から信号光路へ出力された光を空間光として出力する光アンテナ６、光アンテナ６で受信され光サーキュレータ５で受信光路５１に出力された受信光の光路長を調整する遅延ファイバなどの光路長調整手段７、偏波保持光カプラ２で局発光路５０に分岐された光である局発光と受信光路５１を通過する受信光を合波する光合波カプラ８、合波後の光信号を受信し電気信号に変換するバランストレシーバ９、光電変換後の受信信号を用いて、ターゲット２０との距離またはターゲット２０の移動特性を測定する測定部３０、基準光源１に入力され基準光源１で光の周波数変調を行う注入電流制御信号１４及び半導体光増幅器３に入力され半導体光増幅器３でパルス光を生成するために用いられるパルス生成信号１５及び測定部３０内の信号検出回路１２に入力され信号検出の動作を開始するために用いられるトリガ信号１６を生成する時系列信号生成ユニット１０、トリガ信号１６の遅延を調整する遅延調整回路１１を備える。また、測定部３０は光電変換後の受信信号１８の閾値以上の振幅を検出する信号検出回路１２と検出した信号を処理する信号処理部１３を備える。以降の各図において、同一符号は同一または相当部分を示す。なお、バランストレシーバ９は光ヘテロダイン受信機を実現する構成の一例であり、他の光ヘテロダイン受信機の構成とすることも可能である。また、半導体光増幅器３は入力された光をパルス光に変調する光変調器の一例であり、他の光変調器の構成とすることもできる。
【００１４】
以下、全体の動作について説明する。ここでは、一例として、基準光源１にDFB-LD (distributed feedback laser diode) を用いる。図２にレーザレーダ装置１００の全体動作を示す。基準光源１に時系列信号生成ユニット１０から注入電流制御信号１４を印加する（Ｓ２０１）。DFB-LDでは、キャリアプラズマ効果と熱光学効果により発振波長が変化する。図３に基準光源１での信号イメージを示す。バーストパルス的に制御される注入電流制御信号１４により、基準光源１からの出力光の光周波数はパルスＯＮ期間のみ第１の周波数ｆ１、パルスＯＦＦ期間には第２の周波数ｆ０の周波数で出力する。DFB-LDでは、注入電流制御信号１４により、高速にパルスＯＮ期間とパルスＯＦＦ期間を変更できるため、第１の周波数ｆ１と第２の周波数ｆ０の周波数差がＧＨｚ以上となるように設定することで、ＧＨｚ以上の周波数シフトを実現することができる。なお、DFB-LD以外であっても、注入電流を制御することによって周波数変調を行える半導体レーザなどの基準光源１であれば、ＧＨｚ以上の周波数シフトを実現することができる。なお、半導体レーザでＧＨｚ以上の高速変調を実現可能であることは、一般によく知られている。
【００１５】
基準光源１から出力された光を偏波保持光カプラ２で信号光路と局発光路５０に分岐する（Ｓ２０２）。偏波保持光カプラ２で信号光路に分岐された光はパルス生成信号１５で直接変調される半導体光増幅器３によりパルス光となる。半導体光増幅器３出力のパルス光は光ファイバ増幅器等の光増幅器４により増幅される（Ｓ２０３）。増幅された信号光は光サーキュレータ５で信号光路と受信光路に分離される（Ｓ２０４）。信号光路では、コリメート光として空間出力する光アンテナ６によって空間出力される（Ｓ２０５）。
【００１６】
光アンテナ６によって空間出力され、ターゲット２０で散乱された受信光は光サーキュレータ５により信号光路と分離され受信光路５１に入る（Ｓ２０６）。受信光路では、遅延ファイバやファイバストレッチャ、光移相器等の光路長調整手段７により光アンテナ６の内部散乱光による信号光路長LSが局発光路長LLより長くなるように設定する。
LS>LL                 (1)
ここで、光アンテナ６の内部散乱光による信号光路長LSと局発光路長LLはともに偏波保持光カプラ２からバランストレシーバ９に至る光路長である。
【００１７】
受信光と局発光とを偏波保持光カプラ８で合波後、バランストレシーバ９で受信する（Ｓ２０７）。ここでは、２つのPD(Photo Diode)を用いてヘテロダイン検波を行うバランストレシーバ９による実施例を記載しているが、１つのPD(Photo Diode)を用いてヘテロダイン検波を行う単一光レシーバを用いた場合においても適用可能である。なお、バランストレシーバ９では光源が保有する強度雑音を抑圧できる利点があり、単一光レシーバよりも高感度な受信が可能となる。バランストレシーバ９での処理は、光ヘテロダイン受信機で受信光を局発光によりヘテロダイン検波する具体的な一例である。
バランストレシーバ９で受信後の受信信号１８は閾値以上のピークを検出する信号検出回路１２にてターゲット２０からの散乱光の信号を検出する（Ｓ２０８）。信号処理部１３にてターゲット２０からの散乱光の伝播時間を測定することにより、ターゲット２０までの距離等の測定を行う（Ｓ２０９）。
【００１８】
各種信号のイメージ図を図４に示す。時系列信号生成ユニット１０はLD直接変調する注入電流制御信号１４（図４(a)）と半導体光増幅器３を直接変調するパルス生成信号１５（図４(b)）とを同タイミングで印加する。従って、光アンテナ６から出力される信号光Txは周波数シフトされたパルス光となる。半導体光増幅器３から光アンテナ６端までの光路長をLS’（<LS）とすると、空間出力される光アンテナ６端の信号光（図４(d')）は半導体光増幅器３での変調から時間LS’/c分だけ遅延が生じる。
【００１９】
バランストレシーバ９における漏れ光の振幅を図４(d)、漏れ光の周波数を図４(f)にそれぞれ示す。ここで、光アンテナ６からの内部散乱や光サーキュレータ５からの漏れ光は、注入電流制御信号１４の印加から時間Tsだけ遅れてバランストレシーバ９に入る。
Ts=Ls/c            c:光速                    (2)
一方、局発光（図４(e)）はTLだけ遅延し、バランストレシーバ９に入る。
TL=LL/c
今、光路長調整手段７によって、
TL<TS
が成り立つ。
【００２０】
したがって、受信信号の振幅（図４(g)）、及び周波数（図４(h)）に示すように局発光が変調された時間領域Ｘ、信号光(光アンテナ６からの内部散乱光)が変調された時間領域Ｙ、ターゲット２０からの散乱である検出したい時間領域Ｚの３領域で信号が検出される。すなわち、局発光は時間領域Ｘで第１の周波数ｆ１に変調された状態であり、時間領域Ｙ、Ｚで第２の周波数ｆ０に変調された状態となる。信号光(光アンテナ６からの内部散乱光)は時間領域Ｙで第１の周波数ｆ１に変調された状態であり、時間領域Ｘ、Ｚで第２の周波数ｆ０に変調された状態となる。ターゲット２０からの散乱光は時間領域Ｚで第１の周波数ｆ１に変調された状態であり、時間領域Ｘ、Ｙで第２の周波数ｆ０に変調された状態となる。これは局発光、信号光(光アンテナ６からの内部散乱光)、ターゲット２０からの散乱光がそれぞれ異なる遅延を持つためである。従って、時間領域Ｙ、Ｚの受信信号は、局発光が第２の周波数ｆ０を持つ状態で、第１の周波数ｆ１をもつ光アンテナ６からの内部散乱光またはターゲット２０からの散乱光をヘテロダイン検波した結果である。本実施の形態では、基準光源１で周波数変調された光の第２の周波数ｆ０を局発光として用い、第１の周波数ｆ１を信号光として用いてヘテロダイン検波する。
【００２１】
また、時系列信号生成ユニット１０によってトリガ信号１６が生成され、トリガ信号１６は移相器などの遅延調整回路１１によって、信号検出回路１２の動作を開始するタイミングを決定するトリガ信号１７(図４(c))に遅延調整される。ここで、トリガ信号１７は、局発光が変調されたタイミング(図４のＸ領域)と信号光の漏れ光を受信する領域(図４のＹ領域)との間に設定される。さらに、信号光の漏れ光(図４のＹ領域)の信号を検出ゼロ距離とする。トリガ信号１７を測定開始点とした場合、信号光路長Ls分の遅延とターゲット２０との距離とを分離することができない。これに対して、光アンテナ６の漏れ光（内部散乱光）を測定開始のタイミングトリガとして用いることにより、光アンテナ６出力端からターゲット２０までの光伝播時間を検出することができ、光アンテナ６からターゲット２０までの距離を正確に検出可能となる。具体的に、光アンテナ６からターゲット２０までの距離をLtとすると、受信されるターゲット２０からの散乱光は(Ls+2Lt)/cが成り立つ。従って、漏れ光Ls/cをタイミングトリガとすることで、2Lt/cを検出できる。
【００２２】
光ファイバを用いた信号光路の伝播では一般的に環境温度等の影響により、光路長が変化する。トリガ信号１７を測定開始点とした場合、この光路長変化を補正することはできない。一方、本発明の構成を用いることで、環境温度が変化した場合においても測定開始点を補正する必要なく、測定が可能となる。
【００２３】
一般的にDFB-LDの変調信号に対する応答速度は１ｎｓ以下の高速応答が可能であり、且つ周波数の変化量は１ＧＨｚ以上である。その結果、ｎｓオーダの短いパルス幅を持つパルス信号のヘテロダイン検波に対応することが可能となる。一方、従来使用されている光周波数シフタの応答帯域は１ＭＨｚよりも小さく、またシフト量も１ＧＨｚよりも小さい。その結果、ｎｓオーダの短いパルス幅を持つパルス信号のヘテロダイン検波に対応することが困難となる。
【００２４】
以上、LD(laser diode)をバーストパルス的に直接変調した際に生じる周波数偏移を基準光とし、基準光を２分岐した信号光、局発光の光路長差を信号光路が長くなるように設定し、信号光路で生じる内部散乱光を測定開始のタイミングトリガとして用いる構成とすることで、従来不可であった、ｎｓオーダの短パルスでのヘテロダイン検波を可能とし、且つ信号光路長に依存せず光アンテナ６からターゲット２０までの距離を検出可能となる。
【００２５】
このように、本実施の形態に係るレーザレーダ装置１００は、第１の時間に第１の周波数ｆ１をもつ第１の光を出力し、第２の時間に第２の周波数ｆ０をもつ第２の光を出力する基準光源１である半導体レーザと、前記半導体レーザから出力された第１及び第２の光を信号光と局発光に分岐する偏波保持光カプラ２などの光分岐器と、前記信号光をパルス光に変調する光変調器と、前記光変調器で変調されたパルス光を空間に放射し、前記パルス光のターゲット２０からの散乱光を受信光として受信する光アンテナ６と、前記受信光を、前記局発光を用いてヘテロダイン検波する光ヘテロダイン受信機と、前記光ヘテロダイン受信機でヘテロダイン検波された受信信号１８を用いて、ターゲット２０との距離を測定する測定部３０と、を備え、前記光ヘテロダイン受信機は、前記第２の光の前記局発光を用いて、前記第１の光の前記受信光をヘテロダイン検波することを特徴とする。この構成によって、光周波数シフタを用いて局発光と信号光の周波数差を生成する従来技術よりも局発光と信号光の間に大きな周波数シフトを与えることができ、短いパルス幅のパルス光を用いてヘテロダイン検波することで、高分解能なレーザレーダ装置１００を実現できる。具体的には、１ＧＨｚ以上の周波数シフトを実現し、ｎｓオーダの短いパルス幅のパルス光でのヘテロダイン検波が可能となる。また、光周波数シフタを用いて周波数シフトを行う従来技術よりも、ヘテロダイン検波方式を小型化したり、集積化したりすることができる。
【００２６】
また、本実施の形態に係るレーザレーダ装置１００では、測定部３０はターゲット２０からの散乱光の伝播時間を測定することにより、自装置とターゲット２０との距離を測定することを特徴とする。この構成によって、従来技術よりも高分解能・高感度にターゲット２０との距離を測定できる。
【００２７】
また、本実施の形態に係るレーザレーダ装置１００では、測定部３０は、自装置内で前記パルス光が散乱されることにより生じる内部散乱光が測定部３０で検出される時間を測定開始時間として、ターゲット２０からの散乱光の伝播時間を測定することを特徴とする。この構成によって、環境温度が変化した場合においても測定開始点を補正する必要なく、測定が可能となる。また、あらかじめ測定開始時間を定める従来技術では光の伝播経路に伸縮が生じた場合に測定結果も影響を受ける。これに対して、本実施の形態の構成では、光の伝播経路に伸縮が生じても内部散乱光とターゲット２０からの散乱光の検出される時間差が同じであれば、測定される距離に影響は生じない。従って、光の伝播経路に伸縮が生じた場合にも測定値が影響を受けない利点がある。
【００２８】
また、本実施の形態に係るレーザレーダ装置１００では、内部散乱光のもつ光路長LSは、前記局発光のもつ光路長LLより長いことを特徴とする。この構成により、信号光、局発光の光路長差を信号光路が長くなるように設定し、信号光路で生じる内部散乱光を測定開始のタイミングトリガとして用いる構成とすることで、従来困難であったｎｓオーダの短パルスでのヘテロダイン検波を行うことが可能となる。
【００２９】
また、本実施の形態に係るレーザレーダ装置１００では、測定部３０は、局発光が測定部３０で第１の周波数ｆ１をもつ時間と、自装置内でパルス光が散乱されることにより生じる内部散乱光が測定部３０で第１の周波数ｆ１をもつ時間、との間で受信信号１８に含まれる特定の信号を検出する動作を開始するトリガ信号１７を受信し、該検出する動作を開始することを特徴とする。ここで、特定の信号の検出とは、例えば、閾値以上の振幅を持つ信号を検出することを示す。この構成によって、ターゲット２０の距離特性の測定に必要となる内部散乱光とターゲット２０からの散乱光に絞って、信号の検出を行うことができ、信号処理を効率的に行うことができる。
【００３０】
また、本実施の形態に係るレーザレーダ装置１００では、トリガ信号１７の遅延時間を調整する遅延調整回路１１を備えたことを特徴とする。この構成によって、トリガ信号１７を局発光が測定部３０で第１の周波数ｆ１をもつ時間と、自装置内でパルス光が散乱されることにより生じる内部散乱光が測定部３０で第１の周波数ｆ１をもつ時間、との間に設定するようにトリガ信号１７の遅延を制御することが可能となる。
【００３１】
また、本実施の形態に係るレーザレーダ装置１００では、パルス光の光路長を調整する光路長調整手段７である光路長調整部を備えたことを特徴とする。この構成によって、光アンテナ６の内部散乱光による信号光路長LSが局発光路長LLより長くなるように設定することができ、局発光がバランストレシーバ９に早く伝播するように設定できる。その結果、測定部３０でアンテナ６の内部散乱光が検出されてからターゲット２０からの散乱光が検出されるまでの間に局発光が検出されることがなく、アンテナ６の内部散乱光が検出される時間からターゲット２０からの散乱光が検出されるまでの時間を高精度に測定することが可能となる。
【００３２】
また、本実施の形態に係るレーザレーダ装置１００では、標準光源１である光源は変調された電流が注入されることにより、前記第１の周波数ｆ１及び前記第２の周波数ｆ０をもつ光を出力することを特徴とする。この構成により、光周波数シフタで周波数変調を行い信号光と局発光に周波数差を与える従来技術よりも短時間での周波数変調が可能となり、信号光と局発光の周波数差を大きくすることができる。その結果、短いパルス幅のパルス光を用いて、高分解能なレーザレーダ装置１００を実現することができる。
【００３３】
また、本実施の形態に係るレーザレーダ装置１００では、標準光源１である半導体レーザはDFB-LD (distributed feedback laser diode)により構成されることを特徴とする。この構成により、バーストパルス的に制御される注入電流制御信号１４により、基準光源１からの出力光の光周波数はパルスＯＮ期間のみｆ１、パルスＯＦＦ期間にはｆ０の周波数で出力することができ、周波数変調を効率的に行うことができる。
【００３４】
実施の形態２．
実施の形態１では、受信信号１８のある固定閾値以上のピークからターゲット２０までの距離を検出するものであるのに対して、本実施の形態は受信信号１８をデジタル変換し、デジタル変換後の周波数成分を解析することにより、実施の形態１で検出不可であったターゲット２０の移動速度を検出可能とするものである。
【００３５】
本実施の形態に係るレーザレーダ装置１００の構成図を図５に示す。図５では、図２における信号検出回路１２がAD (Analog-to-Digital)コンバータ２１に置き換えられている。
【００３６】
図６に各種信号のイメージ図を示す。本実施形態では、受信信号をAD変換後にFFT (Fast Fourier Transform)を行い、周波数成分を検出する。LDを直接変調する本方式では、環境温度等によりLD直接変調により生じる周波数シフト量が変化するため、ターゲット２０の移動に伴い生じるドップラ周波数シフトと環境温度等により生じる周波数シフト量のずれを分離することができない。
【００３７】
ここで、光アンテナ６等の内部散乱で生じた漏れ光はターゲット２０の移動の影響を受けず、LDの周波数シフト量(ゼロドップラ)が検出可能である。図６(i)に示すようにゼロ点(漏れ光)のFFT結果よりゼロドップラ成分を抽出、このゼロドップラとターゲット２０の散乱から取得した周波数成分の差分を抽出、周波数解析を行うことで、環境温度に依存せず、ターゲット２０までの距離、及び移動速度が検出可能となる。
【００３８】
このように、本実施の形態に係るレーザレーダ装置１００は、第１の時間に第１の周波数をもつ第１の光を出力し、第２の時間に第２の周波数をもつ第２の光を出力する基準光源１である半導体レーザと、前記半導体レーザから出力された第１及び第２の光を信号光と局発光に分岐する偏波保持光カプラ２などの光分岐器と、前記信号光をパルス光に変調する光変調器と、前記光変調器から出力されたパルス光を空間に放射し、前記パルス光のターゲット２０からの散乱光を受信光として受信する光アンテナ６と、前記受信光を、前記局発光を用いてヘテロダイン検波する光ヘテロダイン受信機と、前記光ヘテロダイン受信機でヘテロダイン検波された受信信号１８を用いて、ターゲット２０の移動特性を測定する測定部３０と、を備え、前記光ヘテロダイン受信機は、前記第２の光の前記局発光を用いて、前記第１の光の前記受信光をヘテロダイン検波することを特徴とする。この構成によって、光周波数シフタを用いて信号光と局発光の周波数差を生成する従来技術よりも大きな周波数シフトを基準光源１によって実現できる。その結果、短いパルス幅のパルス光を用いてヘテロダイン検波することにより、ターゲット２０の移動速度を広範囲（広い周波数範囲）で検出可能なレーザレーダ装置１００を実現することができる。
【００３９】
また、本実施の形態に係るレーザレーダ装置１００では、測定部３０は、ターゲット２０からの散乱光がもつ周波数を測定することにより、ターゲット２０の移動速度を測定することを特徴とする。この構成によって、従来技術よりも高い範囲でターゲット２０の移動速度を測定することができる。
【００４０】
また、本実施の形態に係るレーザレーダ装置１００では、測定部３０は、自装置内で前記パルス光が散乱されることにより生じる内部散乱光のもつ周波数とターゲット２０からの散乱光のもつ周波数の差分を測定することにより、ターゲット２０の移動速度を測定することを特徴とする。この構成により、ターゲット２０からの散乱光に含まれるドップラ周波数シフトと環境温度等により生じる周波数シフト量のずれを分離できない環境であっても、内部散乱光から環境温度等により生じる周波数シフト量を検出でき、高精度にターゲット２０からの散乱光に含まれるドップラ周波数シフトを測定できる。
【符号の説明】
【００４１】
１：基準光源、２：偏波保持光カプラ、３：半導体光増幅器、４：光増幅器、５：偏波保持光サーキュレータ、６：光アンテナ６、７：光路長調整手段、８：偏波保持光カプラ、９：バランストレシーバ、１０：時系列信号生成ユニット、１１：遅延調整回路、１２：信号検出回路、１３：信号処理部、１４：注入電流制御信号、１５：パルス生成信号、１６：トリガ信号、１７：トリガ信号(遅延調整後)、１８：受信信号、１９：検出信号、２０：ターゲット、２１：ＡＤコンバータ、３０：測定部、５０：局発光路、５１：受信光路、１００：レーザレーダ装置
【要約】
この発明のレーザレーダ装置は、第１の時間に第１の周波数をもつ光を出力し、第２の時間に第２の周波数をもつ光を出力する光源と、前記光源から出力された光を信号光と局発光に分岐する光分岐器と、前記信号光をパルス光に変調する光変調器と、前記パルス光を空間に放射しターゲットからの散乱光を受信光として受信する光アンテナと、前記受信光を、前記局発光を用いてヘテロダイン検波する光ヘテロダイン受信機と、前記光ヘテロダイン受信機で検波された受信信号を用いて、前記ターゲットとの距離または前記ターゲットの移動特性を測定する測定部と、を備え、前記光ヘテロダイン受信機は、前記局発光が前記第２の周波数をもつ状態で、前記第１の周波数をもつ前記受信光をヘテロダイン検波することを特徴とする。この構成により、信号光と局発光の間に大きな周波数シフトを与えることができ、短パルス光を用いてターゲットとの距離を高い分解能で測定できる。【図１】
0006274368.tif 000002
【図２】
0006274368.tif 000003
【図３】
0006274368.tif 000004
【図４】
0006274368.tif 000005
【図５】
0006274368.tif 000006
【図６】
0006274368.tif 000007